(57)【要約】【課題】渦巻線香を簡単にセットすることができ、しかも、渦巻線香の燃焼が進んで短くなっても、渦巻線香が落下することもなく安定的に保持することができる渦巻線香保持台を提供すること。【解決手段】支持基台２に立設した支柱３に設けた支持部材４によって渦巻線香１の中央部を下方から支えると共に、支柱３または支持部材４に設けた傾斜ガイド５によって渦巻線香１の垂れ下がり部を支えるようにした。【選択図】      図１
2004160040.tif 000002
【特許請求の範囲】
【請求項１】
支持基台と、
該支持基台に立設された支柱と、
該支柱の先端に設けられ、渦巻線香の中央部を下方から支える支持部材と、
該支持部材又は支柱に固定され、該支持部材で支えた渦巻線香の垂れ下がり部を支える傾斜ガイドと、
を含む渦巻線香保持台。
【請求項２】
前記支持基台が、渦巻線香の灰を収容する受皿である請求項１記載の渦巻線香保持台。
【請求項３】
前記支持部材が、渦巻線香の中央に設けられた通孔に挿入する挿入ピンを備えている請求項１または請求項２記載の渦巻線香保持台。
【請求項４】
前記挿入ピンの基部に、前記渦巻線香の通孔の孔縁部を受ける受け部が設けられている請求項３記載の渦巻線香保持台。
【請求項５】
前記挿入ピンがテーパ状に形成されており、ピン先端の直径が渦巻線香の通孔の孔径より小さく形成され、ピン根本の直径が通孔の孔径より大きく形成されている請求項３記載の渦巻線香保持台。
【請求項６】
前記傾斜ガイドの渦巻線香との接触側に断熱体が取り付けられている請求項１乃至請求項５のいずれかに記載の渦巻線香保持台。
【請求項７】
前記傾斜ガイドが、該傾斜ガイドの上部で前記支持部材又は前記支柱に固定されており、該傾斜ガイドの下部が自由端となっている請求項１乃至請求項６のいずれかに記載の渦巻線香保持台。
【発明の詳細な説明】
【０００１】
【発明の属する技術分野】
本発明は、渦巻線香保持台、より詳しくは、仏事等に使用する渦巻線香の保持台に関するものである。
【０００２】
【従来の技術】
従来、線香が平板渦巻状に成形された渦巻線香は、その中心部に予め取り付けられた糸の輪を、専用の吊り台の持出フックに引っ掛け、これを吊り下げて使用するのが一般的である（例えば、特許文献１、特許文献２参照）。こうして吊り下げられた渦巻線香は、自重によって釣鐘状に垂れ下がり、この垂れ下がった渦巻線香の外側下端部に点火して仏事等に使用する。
【０００３】
ところが、従来の吊り台は、渦巻線香の中心部に取り付けた糸を指先で摘みながら、その輪を広げてフックに引っ掛ける必要があり、指先による細かい作業とならざるを得ず、渦巻線香をセットする際に渦巻線香を途中で折ってしまうこともあった。
【０００４】
なお、渦巻線香を吊り下げることなく他の方法で保持する線香台として、受皿にポールを立設し、ポールの先端に渦巻線香を被せて釣鐘状にセットするものが提案されている（例えば、特許文献３参照）。しかしながら、この線香台は渦巻線香の中央部を単にポール先端に載置するだけであったので、風等の一寸した外力や振動により簡単に渦巻線香が落下してしまう難点があった。渦巻線香の燃焼が進んで渦巻線香がより短く、軽くなるほど、落下し易かった。
【０００５】
【特許文献１】
実開平４−６４２８３号公報
【特許文献２】
実開平６−７９３７８号公報
【特許文献３】
実開昭６０−８６１８４号公報
【０００６】
【発明が解決しようとする課題】
本発明は、従来の吊り下げ式の渦巻線香台に上記のような問題があったことに鑑みて為されたもので、渦巻線香を頗る簡単にセットすることができ、それでいて、渦巻線香の燃焼が進んで短くなっても、渦巻線香を安定的に保持することができる渦巻線香の保持台を提供することにある。
【０００７】
【課題を解決するための手段】
本発明の渦巻線香保持台は、支持基台と、該支持基台に立設された支柱と、該支柱の先端に設けられ、渦巻線香の中央部を下方から支える支持部材と、該支持部材又は支柱に固定され、該支持部材で支えた渦巻線香の垂れ下がり部を支える傾斜ガイドとを含むことを特徴とする。
【０００８】
更に本発明の渦巻線香保持台は、前記支持基台が渦巻線香の灰を収容する受皿であることを特徴とする。
【０００９】
更に本発明の渦巻線香保持台は、前記支持部材が渦巻線香の中央に設けられた通孔に挿入する挿入ピンを備えていることを特徴とする。
【００１０】
更に本発明の渦巻線香保持台は、前記挿入ピンの基部に前記渦巻線香の通孔の孔縁部を受ける受け部が設けられていることを特徴とする。
【００１１】
更に本発明の渦巻線香保持台は、前記挿入ピンがテーパ状に形成されており、ピン先端の直径が渦巻線香の通孔の孔径より小さく形成され、ピン根本の直径が通孔の孔径より大きく形成されていることを特徴とする。
【００１２】
更に本発明の渦巻線香保持台は、前記傾斜ガイドの渦巻線香との接触側に断熱体が取り付けられていることを特徴とする。
【００１３】
更に本発明の渦巻線香保持台は、前記傾斜ガイドが該傾斜ガイドの上部で前記支持部材又は前記支柱に固定されており、該傾斜ガイドの下部が自由端となっていることを特徴とする。
【００１４】
【発明の実施の形態】
本実施形態の渦巻線香保持台は、平板渦巻状に成形され、渦巻中央に通孔１０を備えた渦巻線香１を保持するものである。この渦巻線香保持台は、図１〜図３に示すように、安定配置が可能な支持基台２と、この支持基台２に立設された支柱３と、この支柱３の先端に設けられ、渦巻線香１の中央部を支えるための支持部材４と、同じく支柱３の先端に固定され、渦巻線香１の垂れ下がり部を支えるための傾斜ガイド５とから構成されている。
【００１５】
本実施形態の支持基台２は、図３に示すように、金属板材をプレス加工して丈の短い有底円筒形状に形成され、渦巻線香１の灰を収容する受皿として構成されている。そして、受皿たる支持基台２の底部２０には、下方へ向けて３つの突起２２が円周方向に等間隔に形成され、支持基台２のガタつきのない安定配置を可能にしている。また、この底部２０の中央には、支柱３を固定するための止着孔２１が開設されている。
【００１６】
支柱３は、金属丸棒材から構成されており、その上端には雄ネジ部３１が設けられ、下端にはネジ孔３２が設けられている。本実施形態では、上記支持基台２の止着孔２１へ下方からビス３３を挿通し、このビス３３に支持基台２の上方からナット３４を螺合してビス３３を支持基台２に固定し、この固定したビス３３のネジ部に支柱３のネジ孔３２を螺合することにより、支柱３を受皿の支持基台２の上面中央に立設している。
【００１７】
支持部材４は、金属丸棒材から構成されており、その先端には渦巻線香１の通孔１０に挿入可能な挿入ピン４１が形成され、下端には上記支柱３の雄ネジ部３１と螺合するネジ孔４２が刻設されている。この支持部材４のネジ孔４２を支柱３の雄ネジ部３１に螺合することにより、支持部材４を支柱３の先端に固定している。
【００１８】
また、支持部材４の挿入ピン４１は、テーパ状に形成されており、ピン先端の直径が渦巻線香１の通孔１０の孔径より小さく形成され、ピン根本の直径は通孔１０の孔径より大きく形成されている。このことで、挿入ピン４１に渦巻線香１の通孔１０を被嵌した場合、図１に示すように、渦巻線香１の通孔１０の孔径に見合ったピン位置で渦巻線香１を支えることができる。したがって、通孔１０の孔径がセットする渦巻線香によって異なっていても、通孔１０内へ挿入ピン４１を殆ど隙間なく挿入することができ、確実に渦巻線香１の中央部を支えることができる。
【００１９】
傾斜ガイド５は、図３に示すように、長板状の金属材を曲げ加工して形成されており、渦巻線香１の垂れ下がり部を支える一対の傾斜部５１と、各傾斜部５１の上端を連結する水平な連結部５３とから略コ字形状に構成されている。連結部５３の中央には止着孔５４が開設されている。この止着孔５４に上記支柱３の雄ネジ部３１を遊嵌し、雄ネジ部３１に上記支持部材４のネジ孔４２を螺合することにより、傾斜ガイド５を支柱３の先端に固定している。なお、この傾斜ガイド５は支柱３に溶接によって固定されていても良く、また、上記支持部材４に溶接固定されていても良い。
【００２０】
また、各傾斜部５１の渦巻線香１との接触側には、無機繊維の不織布から成る断熱体５２が取り付けられている。本実施形態では、無機繊維としてセラミックファイバーを採用しているが、他にロックウール、ガラスファイバー等を用いることもできる。無機繊維の不織布は十分な空気流通路を備えているので、渦巻線香１の燃焼部が断熱体５２に接触しても、燃焼部には十分な空気が供給される。そして、燃焼部の熱が断熱体５２により奪われることも殆どないため、渦巻線香１の燃焼が絶たれることもない。
【００２１】
しかして、本実施形態の渦巻線香保持台は、渦巻線香１の通孔１０に支持部材４の挿入ピン４１を差し込むように渦巻線香１を被せれば、図１に示すように、保持台の支持部材４が渦巻線香１の中央部を下方から支えるとともに、傾斜ガイド５が渦巻線香１の垂れ下がり部を支えて渦巻線香１が安定的に保持されるのである。
【００２２】
このように、本実施形態の渦巻線香保持台は、渦巻線香１を上方から被せるだけの頗る簡単な操作で渦巻線香１をセットすることができるので、従来の線香吊り下げ台のように、指先の細かい作業は全く必要でなく、セットする際に誤って渦巻線香を折ってしまうようなこともない。
【００２３】
また、本実施形態では、保持台の支持部材４によって渦巻線香１の中央部を支えるとともに、傾斜ガイド５によって渦巻線香１の垂れ下がり部を支えるので、セットした渦巻線香を頗る安定的に保持することができる。しかも、本実施形態では、支持部材４の挿入ピン４１を渦巻線香１の通孔１０内に挿入した状態で、渦巻線香１の中央部を支えるので、風等の外力や振動によって簡単に渦巻線香１が落下するようなこともなく、渦巻線香１の燃焼が進んで短く、軽くなったときでも、渦巻線香１を安定的に保持することができる。
【００２４】
更に、本実施形態では、傾斜ガイド５がその上部において支柱３に固定され、傾斜ガイド５の下部が自由端となっているので、必要に応じて傾斜ガイド５を自由に曲げ調整することができる。したがって、自重による渦巻線香１の垂れ下がり形状に合わせて、傾斜ガイド５の傾斜部５１の形状や傾斜角度等を変更することも簡単に行なうことができる。例えば、渦巻線香１の自然な垂れ下がり形状を損なうことなく、渦巻線香１と傾斜部５１との接触範囲を大きくすることも可能であり、より安定的な渦巻線香の保持が可能となる。また、一対の傾斜部５１の下部同士の間隔を広げるように傾斜ガイド５を曲げ調整することによって、渦巻線香１の垂れ下がり形状を積極的に変更することも簡単に行うことができる。
【００２５】
また、このように、傾斜ガイド５がその上部で固定され、傾斜ガイド５の下方には固定手段を設けていないので、傾斜ガイド５の下方は空間となっており、セットした渦巻線香１の下方がスッキリとしてその見栄えも良い。
【００２６】
以上、本発明の一実施形態について説明したが、本発明の渦巻線香保持台は、その他の形態でも実施し得るものである。
【００２７】
例えば、上記実施形態では、支持部材４の先端にテーパ状の挿入ピン４１を形成し、通孔１０の孔径に見合うピン位置で渦巻線香１を支えているが、図４に示すように、支持部材６の先端に渦巻線香１の通孔１０より小径の平行ピンから成る挿入ピン６１を形成し、この挿入ピン６１の基部に通孔１０より大径の円板状の受け部６２を設けても良い。この場合、挿入ピン６１を渦巻線香１の通孔１０に遊嵌し、受け部６２で渦巻線香１の通孔１０の孔縁部を受けることによって、渦巻線香１の中央部を支える。
【００２８】
また、挿入ピン６１の基部に円板状の受け部６２を設ける代わりに、図５に示すように、挿入ピン６１の基部にピン状の受け部６３を設けることによって渦巻線香１の通孔１０の孔縁部を受けるようにしても良い。図５では、挿入ピン６１の基部に互いに反対向きの一対のピン状受け部６３を設けているが、片側だけに設けても良い。
【００２９】
また、図６に示すように、支持部材６の挿入ピン６１の基部に傾斜ガイド９を固定し、この傾斜ガイド９で渦巻線香１の通孔１０の孔縁部を支えるようにしても良い。この場合、傾斜ガイド９における渦巻線香１の孔縁部を支える部分に断熱体９２を取り付けることもできる。
【００３０】
更にまた、上記実施形態では、渦巻線香１の垂れ下がり部を支えるための傾斜ガイド５を、一対の傾斜部５１の上端を連結部５３で連結して構成しているが、図４に示すように、一対の傾斜部７１の中程部分を連結部７３で連結することによって傾斜ガイド７を構成しても良い。このことで、各傾斜部７１の下端側だけでなく、上端側も簡単に曲げ調整することが可能となる。なお、符号７２は傾斜部７１に取り付けた断熱体である。
【００３１】
また、図５に示すように、支柱３に固定した連結部８３の両端に上方に向けて持出部８４を延設し、この持出部８４の端部に傾斜部８１の上端を連結することによって傾斜ガイド８を構成しても良い。この持出部８４を曲げ変形すれば、一対の傾斜部８１の上部同士の間隔を広げるような傾斜ガイド８の調整も簡単に行い得る。このことで、渦巻線香１のより自然な垂れ下がり形状を損なうことなく傾斜部８１の上部を渦巻線香１に接触させて支えることが可能となり、より安定的な渦巻線香の保持が可能となる。なお、符号８２は傾斜部８１に取り付けた断熱体である。
【００３２】
また、図６に示すように、一対の傾斜部９１の上端同士を直接、連結することにより傾斜ガイド９を構成しても良い。渦巻線香１の垂れ下がり形状に合わせて湾曲させた傾斜部９１を支持部材６の挿入ピン６１の基部に固定している。このことで、セットした渦巻線香１の全体を支えることが可能となり、極めて安定的に渦巻線香１を保持することができる。
【００３３】
本発明に係る渦巻線香保持台の場合、渦巻線香１を上方から被せるだけでセットできるので、従来の線香吊り下げ台のようにセット操作のための一定の空間をフックの下方に確保しなければならないといった要請もなく、傾斜ガイドを保持台の上部の支持部材に固定することもできるのである。したがって、図６に示す実施例のように、傾斜ガイドを支持部材に固定すれば、渦巻線香１の垂れ下がり部の上部をも傾斜ガイドで支えることが可能となり、渦巻線香の燃焼が進んで短くなっても、安定的に保持することができる。
【００３４】
以上、本発明の実施変形例について図面に基いて種々説明したが、本発明に係る渦巻線香保持台は、図示したものに限定されず、その他の態様でも実施し得るものである。
【００３５】
例えば、上記実施例は何れも、傾斜ガイドの傾斜部を支柱等を挟んで互いに反対方向へ一対設けているが、勿論これに限定されるものではなく、例えば、支柱から放射状に３本以上設けても良い。また、この傾斜ガイドは、渦巻線香の垂れ下がり部を支えることが可能であれば足りるのであり、例えば、ガイド先端が自重により垂れ下がるような傾斜ガイドを採用することも可能である。また、上記実施例では、支持基台が受皿である例を説明しているが、支持基台は決してこれに限定されるものではなく、例えば、この支持基台を、一般の灰皿の内側に安定配置可能な大きさ等に構成し、渦巻線香１の灰を当該灰皿で受けるようにしても良い。本発明は、その趣旨を逸脱しない範囲内で当業者の知識に基づき、種々の改良、変更、修正を加えた態様で実施し得るものである。
【００３６】
また、同一の作用又は効果が生じる範囲内で、何れかの発明特定事項を他の技術に置換した形態で実施しても良く、また、一体に構成されている発明特定事項を複数の部材から構成しても、複数の部材から構成されている発明特定事項を一体に構成した形態で実施しても良い。
【００３７】
【発明の効果】
以上のように、本発明に係る渦巻線香保持台によれば、渦巻線香を上方から被せるだけの頗る簡単な操作で渦巻線香をセットすることができるので、従来の線香吊り下げ台のように、指先の細かい作業は全く必要でなく、セットする際に誤って渦巻線香を折ってしまうようなこともない。また、支持部材によって渦巻線香の中央部を支えるとともに傾斜ガイドによって渦巻線香の垂れ下がり部を支えることができるので、セットした渦巻線香を頗る安定的に保持することができ、風等の外力や振動によって簡単に渦巻線香が落下するようなこともなく、渦巻線香の燃焼が進んで短く、軽くなったときでも、渦巻線香を安定的に保持することができる。
【図面の簡単な説明】
【図１】本発明に係る渦巻線香保持台の部分断面正面図である。
【図２】本発明に係る渦巻線香保持台の部分断面側面図である。
【図３】本発明に係る渦巻線香保持台の分解図である。
【図４】本発明に係る渦巻線香保持台の変形例の部分断面正面図である。
【図５】本発明に係る渦巻線香保持台の他の変形例の部分断面正面図である。
【図６】本発明に係る渦巻線香保持台の更に他の変形例の部分断面正面図である。
【符号の説明】
１    渦巻線香
１０    通孔
２    支持基台
３    支柱
４、６    支持部材
４１、６１    挿入ピン
６２、６３    受け部
５、７、８、９    傾斜ガイド
５２、７２、８２、９２    断熱体
【図１】
2004160040.tif 000003
【図２】
2004160040.tif 000004
【図３】
2004160040.tif 000005
【図４】
2004160040.tif 000006
【図５】
2004160040.tif 000007
【図６】
2004160040.tif 000008